(57)【要約】【課題】本考案である「照明カバーの構造改良」は、一種の照明カバーに関連するカバー体について設計したものである。【解決手段】そのカバーには本体、支持体が含まれる。その本体の上下部の両端にはリングがつけられており、その２つのリングの間には少なくとも１層の間層があり、各間層は大きさの異なる複数の輪体及び包装材によって形成されている。そして、支持体は上下部のリングの間に挟みこみ、本体を広げることによってカバー体を構築するものである。さらにカバー体を照明器具の上にかぶせると、電灯から放出される光をカバー体の間層から外側にもらすことにより、光を和らげる効果を発揮するものである。【選択図】図１
0003123781.tif 000002
【実用新案登録請求の範囲】
【請求項１】
このカバー体の構造改良は、本体の上下両端にそれぞれリングが設置されており、その２つのリングの間には少なくとも１つの間層が設けられており、支持体は本体の内部に設置され、上下両端のそれぞれの留め金に引っ掛けることで、本体を開くことができ、中央部分には照明器具にかぶせるための位置決め板が設置してあることを特徴とするカバー体の構造改良。
【請求項２】
その間層が複数の輪体と包装材で形成されていることを特徴とする請求項1に記載のカバー体の構造改良。
【請求項３】
その間にある輪体が間層と同一軸心に保たれていることを特徴とする請求項２に記載のカバー体の構造改良。
【請求項４】
その支持体の上部両側にそれぞれ凹部があり、上端のリングをその凹部に収納できるようになっていることを特徴とする請求項１に記載のカバー体の構造改良。
【請求項５】
下部のリングの内側に最低２つの留め金が備え付けられており、支持体下部両側にはリング内部にはめ込むができる凸部があることを特徴とする請求項１に記載のカバー体の構造改良。
【請求項６】
下部リングの内側に少なくとも２つの留め金があり、支持体上部の両側にはそれぞれ凹部があり、下部両側にはそれぞれ凸部が設けられており、上部のリングをその凹部に収納し、凸部を留め金の内側にはめ込められることを特徴とする請求項１に記載のカバー体の構造改良。
【請求項７】
定位板の中央に穿孔があることを特徴とする請求項１に記載のカバー体の構造改良。
【考案の詳細な説明】
【技術分野】
【０００１】
本考案である「カバー体の構造改良」は、一種の照明器具カバーに係るカバー体の設計についてのもので、このカバーをかけることで照明器具の光を和らげる効果を発揮するものである。
【背景技術】
【０００２】
一般的な照明器具、とりわけ、スタンドライトやデスクライト、テーブルランプ、街灯、シャンデリアなどは相対的なビジュアル感覚をよくすることで使用価値を与えている。そのため、外側にはほとんど照明カバーがかけられている。
【０００３】
そして、このカバーを取り付けることで照明器具の光に変化を与え、照明器具から射出される光にさまざまな変化をもたらすことができるのである。ところが、ほとんどのカバーは、カバー自体の色を変えることで、カバーの内側の反射板に設置された穴から外に向けて光を出し、カバー本体の色によってビジュアル的イメージを作り上げ、そうすることで消費者の購買意欲をかき立てている。
【０００４】
このほか、一般的にカバー体の多くは成型済みのフレームとそのフレームを囲んでいる透光性の高い包装材から作られ、カバー体を照明器具の上にかぶせることによって、光の変化を促している。ただ、この方法ではフレームは事前に成型されているため、運搬や収納の際に無駄なスペースを取ってしまうという難点がある。この点では省スペースを実現したい消費者にとっては非常に迷惑な話であり、今後いかにして斬新な照明カバーを作り出し、運搬や収納といった作業をより便利に行い、無駄なスペースをいかになくすかが本考案が解決しようとする課題である。
【考案の開示】
【考案が解決しようとする課題】
【０００５】
この考案は、運搬や収納の便利性を向上することと、無駄なスペースをいかになくすかが本考案が解決することを課題とする。
【課題を解決するための手段】
【０００６】
本考案者は上述のような長年の課題とされてきた問題を解決すべく、数年の歳月をかけて当該製品の研究・設計・製造などに取り組み豊富な経験を積み、多大な努力と精力を注ぎ研究を重ねた結果、ついに本考案である「照明カバー体の構造改良」の開発に成功した。
【０００７】
本考案である「カバー体の構造改良」につき、本体、支持体、当該本体の上下両端にはリングがはめられており、その二つのリングの間には少なくとも１層の間層があり、それぞれの間層は大きさが違う複数の輪体と包装材から形成され、支持体を上下のリングの間に差し込み、本体を開くことでカバー体にするものである。さらに開いたカバー体を照明器具の上にかぶせると、電球の灯りがカバーの間層を通して外に漏れ、光を和らげる効果を発揮する。
【考案の効果】
【０００８】
そのうち、本体は複数の輪体と包装材により構成される。その輪体は上下のリングと同一軸心を保ち、リングと輪体の間は包装材を使って固定する。つまり、運搬や収納を行うときは、先に本体を折りたたむことができるため、照明カバーだけにスペースを取られることがなくなり、運搬効率のアップ、省スペースの実現につながるのである。
【０００９】
このほか、その上下のリングの間には、少なくとも１層の間層に２層の鋼体を設置することもでき、その２層の鋼体のネットを間層として設置することもできる。そして、被覆体はそれぞれ違う層の鋼体に被われると、被覆体と交互に並ぶことでまた違った光の変化を楽しむことができるのである
【００１０】
また、その被覆体も違う色を使って鋼体を覆うことができ、鋼体上で違った色の変化が味わえるだけでなく、さらには光がその被覆体から外側に投射されて、さまざまな色の変化を表現することができる。
【実施例】
【００１１】
審査委員各位に本考案の情報をより詳しくご理解いただくため、図式とあわせて次の通り説明を加える。
【００１２】
本考案である「照明カバーの構造改良」の骨組みは図１に示すとおりである。それには次の各部位が含まれる。
本体１０、その上下の両端には第一リング１１と第二リング１２、第一リング１１と第二リング１２の間には少なくとも１層の間層が設けられている。図表では２層の間層を実施例として示した。それには第一間層１３と第二間層１４が含まれ、それぞれの間層は大きさが違う複数の輪体１５と包装材１６で構成されている。その輪体１５は第一リング１３と第二リング１４の間に排列され、同時に第二リング１４の内側突起部分には少なくとも２つの留め金１７が設置されている。
【００１３】
支持体２０については、図２及び図３をご参照ください。これは第一リング１１と第二リング１２の間に設置され、概ね梯子のような形を呈している。図に示す支持体２０の底部の幅は上端の幅よりやや広くなっている。その上端の両側にはそれぞれ凹部２１があり、底部の両側には下向きに凸部２２がある。その上端の凹部２１は第一リング１１を、下端の凸部２２は第二リング１２をそれぞれ支えることで、第一リング１１と第二リング１２を上下両端と固定する。また同時に支持体２０の中央部分には照明器具と接続する定位板２３があり、その定位板２３には照明器具をしっかり接続するための穿孔２４があいている。（固定方法は一般の照明カバーと同じであるため、ここでは説明を省く）
【００１４】
図１、図４、図５をご覧ください。本体１０が第一間層１３を形成する時、輪体１５は第一リング１１と第二リング１２の間にきれいに排列され、さらに包装材１６で輪体１５を第一リング１１と第二リング１２とをお互いにつなぎ合わせ、図１のように第一間層１３を構成する。第二間層１４を形成する時、比較的内径の大きな複数の輪体１５を使って、順番に第一間層１３の外側に並べる。そして包装材１６を比較的内径の大きい輪体１５と第一リング１１及び第二リング１２とを相互につなげ合わせ、第二間層１４を構築する。
【００１５】
図１、図６、図７をご覧ください。本体１０と支持体２０がつながると、支持体２０は本体１０下端にある第二リング１２を通り抜けるようになる。そして支持体２０上端両側にある凹部２１を第一リング１１の下方に入れ、支持体２０の先端が第一リング１１の外側にやや突き出るようにする。支持体２０底部両端の凸部２２を第二リング１２の内側にある留め金１７の内部にはめ込み、支持体２０の凹部２１と凸部２２を使って本体１０の第一リング１１と第二リング１２を支持体２０の上下両端に維持する。さらに第一間層１３と第二間層１４を開くことでカバー体のような形を構成する。
【００１６】
本考案は支持体２０の中央部分にある定位板２３を使ってカバー全体を照明器具に固定し、電灯から放出された光を第一間層１３と第二間層１４の間をすり抜けさせることで、光の強さを弱め、第二間層１４からやわらかい光を外部に放出して、肉眼に対する光の刺激性を和らげている。
【００１７】
ここで注目すべきは、本体１０は第一リング１１と第二リング１２との間にある複数の輪体１５と包装材１６を使って第一間層１３と第二間層を構築していることだ。また、各輪体１５は第一リング１１及び第二リング１２と同一軸心上に保たれている。各輪体１５は第一リング１１及び第二リング１２の間とわずか包装材１６だけでつながっている。要するに本体にとって、支持体２０は第一リング１１と第二リング１２で上下両端をつないでいない時、本体２０は平坦状態にすることができる。このように携帯に便利なほか、収納時の省スペースを実現し、運搬や収納の利便性を有効的に引き上げられるのである。
【００１８】
ただ、上述の各部名称は本考案の技術内容を記述しやすくするために使ったものであり、本案件の権利範囲に限定するものではない。本案件かかわり発明のための部品転換・代替は本案件の保護下に置かれるものとする。
【図面の簡単な説明】
【００１９】
【図１】本考案の実施時の切開図である。
【図２】本考案の支持体の平面図である。
【図３】本考案の支持体部分を拡大した切開図である。
【図４】本考案の本体成型時の第一様態図である。
【図５】本考案の本体成型時の第二様態図である。
【図６】本考案の本体と支持体を組み合わせた時の第一位置拡大図である。
【図７】本考案の本体と支持体を組み合わせた時の第二位置拡大図である。
【符号の説明】
【００２０】
１０  本体
１１  第一リング
１２  第二リング
１３  第一間層
１４  第二間層
１５  輪体
１６  包装材
１７  リング
２０  支持体
２１  凹部
２２  凸部
２３  定位板
２４  穿孔
【図１】
0003123781.tif 000003
【図２】
0003123781.tif 000004
【図３】
0003123781.tif 000005
【図４】
0003123781.tif 000006
【図５】
0003123781.tif 000007
【図６】
0003123781.tif 000008
【図７】
0003123781.tif 000009